(57)【特許請求の範囲】
【請求項１】
コンテンツを表示手段に表示する情報端末であって、
コンテンツを表示するためのソース情報を取得するソース取得手段と、
前記ソース取得手段により取得されたソース情報から、前記コンテンツにおいて選択操作可能な要素である選択可能要素を検出する選択可能要素検出手段と、
前記選択可能要素検出手段により検出された選択可能要素のうち、予め設定された所定数の選択可能要素が表示されるように、前記コンテンツを前記表示手段に表示させる際の拡大率を決定する画面サイズ制御手段と、
前記画面サイズ制御手段により決定された拡大率により拡大した前記コンテンツを前記表示手段に表示させる表示制御手段と、を備え、
前記画面サイズ制御手段は、
前記所定数をＮとしたときに、（Ｎ＋１）個の前記選択可能要素を前記表示手段に表示可能な拡大率より大きい拡大率を、前記コンテンツを前記表示手段に表示させる際の拡大率として決定し、
前記コンテンツに含まれる前記選択可能要素の数が前記所定数以下の場合に、前記ソース情報において初期設定された拡大率を、前記コンテンツを前記表示手段に表示させる際の拡大率として決定する、
ことを特徴とする情報端末。
【請求項２】
前記画面サイズ制御手段は、（Ｎ＋１）個の前記選択可能要素を前記表示手段に表示可能な拡大率より大きい拡大率のうち最小の拡大率を、前記コンテンツを前記表示手段に表示させる際の拡大率として決定する
ことを特徴とする請求項１に記載の情報端末。
【請求項３】
前記選択可能要素の表示に関する前記所定数を記憶するユーザ設定記憶手段をさらに備え、
前記画面サイズ制御手段は、前記ユーザ設定記憶手段に記憶された前記所定数に基づき拡大率を決定する
ことを特徴とする請求項１または２に記載の情報端末。
【請求項４】
コンテンツを表示手段に表示する情報端末における表示制御方法であって、
コンテンツを表示するためのソース情報を取得するソース取得ステップと、
前記ソース取得ステップにおいて取得されたソース情報から、前記コンテンツにおいて選択操作可能な要素である選択可能要素を検出する選択可能要素検出ステップと、
前記選択可能要素検出ステップにおいて検出された選択可能要素のうち、予め設定された所定数の選択可能要素が表示されるように、前記コンテンツを前記表示手段に表示させる際の拡大率を決定する画面サイズ制御ステップと、
前記画面サイズ制御ステップにおいて決定された拡大率により拡大した前記コンテンツを前記表示手段に表示させる表示制御ステップと、を有し、
前記画面サイズ制御ステップにおいて、
前記所定数をＮとしたときに、（Ｎ＋１）個の前記選択可能要素を前記表示手段に表示可能な拡大率より大きい拡大率を、前記コンテンツを前記表示手段に表示させる際の拡大率として決定し、
前記コンテンツに含まれる前記選択可能要素の数が前記所定数以下の場合に、前記ソース情報において初期設定された拡大率を、前記コンテンツを前記表示手段に表示させる際の拡大率として決定する、
ことを特徴とする表示制御方法。
【請求項５】
コンピュータを、コンテンツを表示手段に表示する情報端末として機能させるための表示制御プログラムであって、
前記コンピュータに、
コンテンツを表示するためのソース情報を取得するソース取得機能と、
前記ソース取得機能により取得されたソース情報から、前記コンテンツにおいて選択操作可能な要素である選択可能要素を検出する選択可能要素検出機能と、
前記選択可能要素検出機能により検出された選択可能要素のうち、予め設定された所定数の選択可能要素が表示されるように、前記コンテンツを前記表示手段に表示させる際の拡大率を決定する画面サイズ制御機能と、
前記画面サイズ制御機能により決定された拡大率により拡大した前記コンテンツを前記表示手段に表示させる表示制御機能と、を実現させ、
前記画面サイズ制御機能は、
前記所定数をＮとしたときに、（Ｎ＋１）個の前記選択可能要素を前記表示手段に表示可能な拡大率より大きい拡大率を、前記コンテンツを前記表示手段に表示させる際の拡大率として決定し、
前記コンテンツに含まれる前記選択可能要素の数が前記所定数以下の場合に、前記ソース情報において初期設定された拡大率を、前記コンテンツを前記表示手段に表示させる際の拡大率として決定する、
ことを特徴とする表示制御プログラム。
【発明の詳細な説明】
【技術分野】
【０００１】
本発明は、情報端末、表示制御方法及び表示制御プログラムに関する。
【背景技術】
【０００２】
近年、タッチパネルの機能を有するディスプレイを備えた情報端末が普及している。また、このような情報端末に提供されるコンテンツは、他のコンテンツに対するリンクに例示されるような選択可能要素を含んでいる場合がある。この選択可能要素に対する選択操作は、ディスプレイに表示された選択可能要素を指等により触れることにより実現される。一方、コンテンツの可読性向上のために、コンテンツの表示サイズを変更した後に当該コンテンツを表示する技術が知られている（例えば、特許文献１参照）。
【先行技術文献】
【特許文献】
【０００３】
【特許文献１】特開２００４−６２４６５号公報
【発明の概要】
【発明が解決しようとする課題】
【０００４】
情報端末における選択可能要素の選択操作において、１画面に多くの選択可能要素が表示されている場合には、選択可能要素間の距離の短さ等に起因して誤操作が発生しやすい。特許文献１に記載される技術では、選択可能要素の選択の容易性は考慮されていないので、選択可能要素の誤操作を防止できない。
【０００５】
そこで、本発明は、上記問題点に鑑みてなされたものであり、コンテンツを表示する情報端末において、表示されたコンテンツに含まれる選択可能要素の選択操作における誤操作を削減することが可能な情報端末、表示制御方法及び表示制御プログラムを提供することを目的とする。
【課題を解決するための手段】
【０００６】
上記課題を解決するために、本発明の情報端末は、コンテンツを表示手段に表示する情報端末であって、コンテンツを表示するためのソース情報を取得するソース取得手段と、ソース取得手段により取得されたソース情報から、コンテンツにおいて選択操作可能な要素である選択可能要素を検出する選択可能要素検出手段と、選択可能要素検出手段により検出された選択可能要素のうち、予め設定された所定数の選択可能要素が表示されるように、コンテンツを表示手段に表示させる際の拡大率を決定する画面サイズ制御手段と、画面サイズ制御手段により決定された拡大率により拡大したコンテンツを表示手段に表示させる表示制御手段と、を備え、画面サイズ制御手段は、所定数をＮとしたときに、（Ｎ＋１）個の選択可能要素を表示手段に表示可能な拡大率より大きい拡大率を、コンテンツを表示手段に表示させる際の拡大率として決定し、コンテンツに含まれる選択可能要素の数が所定数以下の場合に、ソース情報において初期設定された拡大率を、コンテンツを表示手段に表示させる際の拡大率として決定する、ことを特徴とする。
【０００７】
また、上記課題を解決するために、本発明の表示制御方法は、コンテンツを表示手段に表示する情報端末における表示制御方法であって、コンテンツを表示するためのソース情報を取得するソース取得ステップと、ソース取得ステップにおいて取得されたソース情報から、コンテンツにおいて選択操作可能な要素である選択可能要素を検出する選択可能要素検出ステップと、選択可能要素検出ステップにおいて検出された選択可能要素のうち、予め設定された所定数の選択可能要素が表示されるように、コンテンツを表示手段に表示させる際の拡大率を決定する画面サイズ制御ステップと、画面サイズ制御ステップにおいて決定された拡大率により拡大したコンテンツを表示手段に表示させる表示制御ステップと、を有し、画面サイズ制御ステップにおいて、所定数をＮとしたときに、（Ｎ＋１）個の選択可能要素を表示手段に表示可能な拡大率より大きい拡大率を、コンテンツを表示手段に表示させる際の拡大率として決定し、コンテンツに含まれる選択可能要素の数が所定数以下の場合に、ソース情報において初期設定された拡大率を、コンテンツを表示手段に表示させる際の拡大率として決定する、ことを特徴とする。
【０００８】
また、上記課題を解決するために、本発明の表示制御プログラムは、コンピュータを、コンテンツを表示手段に表示する情報端末として機能させるための表示制御プログラムであって、コンピュータに、コンテンツを表示するためのソース情報を取得するソース取得機能と、ソース取得機能により取得されたソース情報から、コンテンツにおいて選択操作可能な要素である選択可能要素を検出する選択可能要素検出機能と、選択可能要素検出機能により検出された選択可能要素のうち、予め設定された所定数の選択可能要素が表示されるように、コンテンツを表示手段に表示させる際の拡大率を決定する画面サイズ制御機能と、画面サイズ制御機能により決定された拡大率により拡大したコンテンツを表示手段に表示させる表示制御機能と、を実現させ、画面サイズ制御機能は、所定数をＮとしたときに、（Ｎ＋１）個の選択可能要素を表示手段に表示可能な拡大率より大きい拡大率を、コンテンツを表示手段に表示させる際の拡大率として決定し、コンテンツに含まれる選択可能要素の数が所定数以下の場合に、ソース情報において初期設定された拡大率を、コンテンツを表示手段に表示させる際の拡大率として決定する、ことを特徴とする。
【０００９】
本発明の情報端末、表示制御方法及び表示制御プログラムによれば、所定数の選択可能要素が表示されるように拡大されたコンテンツが表示される。これにより、コンテンツに多数の選択可能要素が含まれる場合であっても、表示される選択可能要素の数は予め設定された所定数に保たれるので、選択可能要素の選択操作が容易となる。従って、選択可能要素の選択操作における誤操作が削減される。また、上記構成によれば、表示される選択可能要素の数が予め設定された所定数に確実に保たれる。
【００１３】
また、本発明の情報端末では、画面サイズ制御手段は、（Ｎ＋１）個の選択可能要素を表示手段に表示可能な拡大率より大きい拡大率のうち最小の拡大率を、コンテンツを表示手段に表示させる際の拡大率として決定することを特徴とする。
【００１４】
上記構成によれば、表示される選択可能要素の数が予め設定された所定数に確実に保たれると共に、選択可能要素が表示手段において過剰に大きく表示されることが防止される。
【００１５】
また、本発明の情報端末は、選択可能要素の表示に関する所定数を記憶するユーザ設定記憶手段をさらに備え、画面サイズ制御手段は、ユーザ設定記憶手段に記憶された所定数に基づき拡大率を決定することを特徴とする。上記構成によれば、表示される選択可能要素の数がユーザが所望する所定数に保たれる。
【発明の効果】
【００１６】
コンテンツを表示する情報端末において、表示されたコンテンツに含まれる選択可能要素の選択操作における誤操作を削減できる。
【図面の簡単な説明】
【００１７】
【図１】情報端末の機能的構成を示すブロック図である。
【図２】情報端末のハードブロック図である。
【図３】ユーザ設定記憶部の構成及び記憶されているデータの例を示す図である。
【図４】表示部におけるコンテンツの表示例、及び拡大されたコンテンツの表示例を示す図である。
【図５】表示部におけるコンテンツの表示例、及び拡大されたコンテンツの表示例を示す図である。
【図６】表示制御方法の処理内容を示すフローチャートである。
【図７】表示制御プログラムの構成を示す図である。
【発明を実施するための形態】
【００１８】
本発明に係る情報端末、表示制御方法及び表示制御プログラムの実施形態について図面を参照して説明する。なお、可能な場合には、同一の部分には同一の符号を付して、重複する説明を省略する。
【００１９】
図１は、情報端末１の機能的構成を示すブロック図である。本実施形態の情報端末１は、選択可能要素を含むコンテンツを表示部１５に表示する情報端末１であって、例えば、移動体通信網を介した通信が可能な携帯端末である。この表示部１５は、例えばディスプレイといった装置により構成される。選択可能要素は、例えば、他のコンテンツに対するリンクである。この選択可能要素に対する選択操作は、ディスプレイに表示された選択可能要素を指等により触れることにより実現される。
【００２０】
図１に示すように、情報端末１は、機能的には、ソース取得部１０（ソース取得手段）、選択可能要素検出部１１（選択可能要素検出手段）、ユーザ設定記憶部１２（ユーザ設定記憶手段）、画面サイズ制御部１３（画面サイズ制御手段）、表示制御部１４（表示制御手段）、及び表示部１５（表示手段）、を備える。
【００２１】
図２は、情報端末１のハードウエア構成図である。情報端末１は、物理的には、図２に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるキーボード等の入力装置１０６、ディスプレイ等の出力装置１０７などを含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図１を参照し、情報端末１の各機能部について詳細に説明する。
【００２２】
ソース取得部１０は、コンテンツを表示するためのソース情報を取得する部分である。具体的には、ソース取得部１０は、有線または無線のネットワーク（図示せず）を介して、ソース情報を取得できる。ソース情報は、例えば、ネットワークに接続されたＷｅｂサーバ（図示せず）から送信される。また、ソース取得部１０は、情報端末１が備える記憶手段（図示せず）に予め記憶されたソース情報を取得することもできる。ソース取得部１０は、取得したソース情報を選択可能要素検出部１１に送出する。
【００２３】
選択可能要素検出部１１は、ソース取得部１０により取得されたソース情報から、表示されたコンテンツにおいて選択操作可能な要素である選択可能要素を検出する部分である。具体的には、選択可能要素検出部１１は、ソース情報の探索により選択可能要素を検出すると共に、検出された選択可能要素の数及び表示されたコンテンツにおける選択可能要素の表示位置といった情報を取得する。選択可能要素検出部１１は、ソース情報から検出及び取得した選択可能要素に関する情報を画面サイズ制御部１３に送出する。
【００２４】
ユーザ設定記憶部１２は、ユーザからの入力により設定された、選択可能要素の表示に関する所定数を記憶する部分である。また、ユーザ設定記憶部１２は、画面サイズ制御部１３における画面サイズ制御方式を記憶する。図３は、ユーザ設定記憶部１２の構成及び記憶されているデータの例を示す図である。図３に示すように、ユーザ設定記憶部１２は、選択可能要素の表示に関する所定数としての表示リンク数Ｎ、及び画面サイズ制御方式を記憶している。表示リンク数Ｎは、画面サイズ制御部１３の制御により、一時に表示部１５に表示させるリンクの数である。画面サイズ制御方式は、表示リンク数Ｎに従った数のリンクを表示部１５に表示させる際の、コンテンツの拡大率の設定の仕方を規定する。画面サイズ制御方式の詳細については、後に詳述する。ユーザ設定記憶部１２に記憶されるデータは、例えば、所定の入力手段（図示せず）を介して、ユーザにより設定される。これにより、表示部１５に表示される選択可能要素の数が、ユーザが所望する所定数に保たれる。
【００２５】
画面サイズ制御部１３は、選択可能要素検出部１１により検出された選択可能要素のうち、予め設定された所定数の選択可能要素が表示されるように、コンテンツを表示部１５に表示させる際の拡大率を決定する部分である。具体的には、画面サイズ制御部１３は、ユーザ設定記憶部１２から表示リンク数Ｎを読み出し、読み出したリンク数Ｎの選択可能要素が表示されるように、ソース情報により表されるコンテンツを表示部１５に表示させる際の拡大率を決定する。
【００２６】
続いて、図４を参照して、画面サイズ制御部１３による拡大率を決定する処理を詳細に説明する。なお、以下の説明では、選択可能要素の例として、他のコンテンツに対するリンクを用いている。図４（ａ）は、ソース情報により表されるコンテンツの全体を示す図である。図４（ａ）に示すように、このコンテンツは、リンクＬ１，Ｌ２，Ｌ３を含む。画面サイズ制御部１３は、ユーザ設定記憶部１２から表示リンク数Ｎ及び画面サイズ制御方式を取得する。ここでは、画面サイズ制御部１３は、表示リンク数Ｎとして「２」を取得したものとする。また、画面サイズ制御部１３は、画面サイズ制御方式として「ｍａｘ」を取得したものとする。
【００２７】
この場合には、画面サイズ制御部１３は、所定数のリンクを表示部１５に表示可能な拡大率のうち最大の拡大率を、コンテンツを表示部１５に表示させる際の拡大率として決定する。具体的には、例えば、画面サイズ制御部１３は、コンテンツにおける所定の基準点が表示部１５における所定の基準位置に固定された状態で拡大率を順次増加させて、２個のリンクの全体が表示されなくなる直前の拡大率を、コンテンツを表示部１５に表示させる際の拡大率として決定する。なお、コンテンツにおける所定の基準点は、例えば、図４（ａ）に示されるコンテンツの左上隅に設定され、表示部１５における所定の基準位置は、例えば、コンテンツを表示可能な領域の左上に設定されるが、いずれも、本実施形態の例には限定されない。また、画面サイズ制御部１３は、Ｎ個のリンクの位置の重心位置を表示部１５の中央の基準位置に固定した状態で、拡大率を調整することとしてもよいまた、コンテンツにおける所定の基準点及び表示部１５における所定の基準位置は、いずれもシステムにより自動的に設定されることとしてもよいし、ユーザの入力により設定されることとしてもよい。
【００２８】
図４（ｂ）は、このように決定された拡大率により表示されたコンテンツの例を示す図である。図４（ｂ）に示すように、コンテンツは、２個のリンクＬ１，Ｌ２を表示可能な拡大率のうち最大の拡大率で表示されている。換言すれば、さらに大きい拡大率によりコンテンツを表示させた場合には、リンクＬ１，Ｌ２は、少なくとも一部が欠けて表示されることとなる。このように拡大率を決定することにより、表示されるリンクの数が予め設定された所定数に保たれると共に、リンクが表示部１５においてより大きく表示されるので、リンクの選択操作が一層容易となる。
【００２９】
また、画面サイズ制御部１３は、画面サイズ制御方式として「ｍｉｎ」を取得した場合には、リンクの表示に関する所定数をＮとしたときに、（Ｎ＋１）個のリンクを表示部１５に表示可能な拡大率より大きい拡大率を、コンテンツを表示部１５に表示させる際の拡大率として決定する。さらに、画面サイズ制御部１３は、（Ｎ＋１）個のリンクを表示部１５に表示可能な拡大率より大きい拡大率のうち最小の拡大率を、コンテンツを表示部１５に表示させる際の拡大率として決定することとしてもよい。なお、リンクの表示に関して、一定の大きさを有するリンクの全てが表示された状態をリンクが表示された状態として定義することができる。また、リンクの一部が表示された状態をリンクが表示された状態として定義してもよい。
【００３０】
具体的には、例えば、画面サイズ制御部１３は、コンテンツにおける所定の基準点が表示部１５における所定の基準位置に固定された状態で、（Ｎ＋１）個のリンクを含んでコンテンツが表示されるような拡大率から、拡大率を順次増加させて、（Ｎ＋１）個目のリンクが表示部１５の表示領域から排除されたときの拡大率を、コンテンツを表示部１５に表示させる際の拡大率として決定する。
【００３１】
図４（ｃ）は、表示リンク数Ｎが「２」である場合において、このように決定された拡大率により表示されたコンテンツの例を示す図である。図４（ｃ）に示すように、コンテンツは、２個のリンクＬ１，Ｌ２を表示可能な拡大率であり、且つリンクＬ３が表示領域に含まれない拡大率で表示されている。換言すれば、さらに小さい拡大率によりコンテンツを表示させた場合には、所定の表示リンク数である２より多い３個のリンクＬ１，Ｌ２，Ｌ３が表示されることとなる。このように拡大率を決定することにより、表示されるリンクの数が予め設定された所定数に確実に保たれると共に、リンクが表示部１５において過剰に大きく表示されることが防止される。
【００３２】
続いて、情報端末１に対して、コンテンツにおける表示領域を移動させるためのスクロール操作が行われた場合の表示制御について説明する。図５に示す例では、ユーザ設定記憶部１２は、表示リンク数Ｎとして「２」を記憶し、画面サイズ制御方式として「ｍａｘ」を記憶しているものとする。
【００３３】
図５（ａ）は、ソース情報により表されるコンテンツの全体を示す図である。図５（ａ）に示すように、このコンテンツは、リンクＬ１〜Ｌ５を含む。まず、画面サイズ制御部１３は、例えば、図５（ｂ）に示すように、コンテンツにおける左上角を所定の基準点として、この基準点を表示部１５における所定の基準位置である左上角に固定した状態で拡大率を順次増加させて、２個のリンクＬ１，Ｌ２が表示可能な拡大率のうち最大の拡大率を、コンテンツを表示するための拡大率として決定する。
【００３４】
続いて、コンテンツにおける表示領域が下方に移動されるスクロールが実施された場合には、画面サイズ制御部１３は、スクロールの終了時における、表示部１５の基準位置からリンクの位置までの距離が短い順に２個のリンクを抽出する。そして、画面サイズ制御部１３は、抽出した２個のリンクが表示可能な拡大率のうち最大の拡大率を、コンテンツを表示するための拡大率として決定する。図５（ｃ）は、このときのコンテンツの表示例を示す図である。図５（ｃ）に示すように、コンテンツは、リンクＬ１〜Ｌ５のうちのリンクＬ３，Ｌ４が表示可能な拡大率のうち最大の拡大率でされる。
【００３５】
さらに、コンテンツにおける表示領域が下方に移動されるスクロールが実施された場合には、図５（ｄ）に示すように、画面サイズ制御部１３は、リンクＬ１〜Ｌ５のうちのリンクＬ４，Ｌ５が表示可能な拡大率のうち最大の拡大率を、コンテンツを表示するための拡大率として決定する。図５（ｄ）に示されたコンテンツは、図５（ｃ）に示されたコンテンツの例における拡大率よりも小さい拡大率で表示される。
【００３６】
なお、スクロールが実施されるごとに拡大率が変更されることによりコンテンツの視認性低下を招来する場合には、スクロールが繰り返し実施されても最初に設定された拡大率が維持されることとしてもよい。例えば、図５（ｂ）に示す状態から図５（ｃ）に示す状態に至るまでスクロールされた場合に、リンクＬ１，Ｌ２が表示されたときに設定された拡大率（図５（ｂ））が、リンクＬ３，Ｌ４の表示（図５（ｃ））及びリンクＬ４，Ｌ５の表示（図５（ｄ））において用いられることとしてもよい。
【００３７】
再び、図１を参照して説明する。表示制御部１４は、画面サイズ制御部１３により決定された拡大率により拡大したコンテンツを表示部１５に表示させる部分である。また、表示部１５は、表示制御部１４の制御下で、リンクを含むコンテンツを表示する部分である。
【００３８】
次に、図６を参照して、情報端末１における表示制御方法について説明する。図６は、表示制御方法の処理内容を示すフローチャートである。
【００３９】
まず、ソース取得部１０は、コンテンツを表示するためのソース情報を取得する（Ｓ１）。続いて、画面サイズ制御部１３は、初期設定された拡大率を、コンテンツを表示するための拡大率として設定する。そして、表示制御部１４は、画面サイズ制御部１３により設定された拡大率を用いて、ソース情報により表されるコンテンツを表示する（Ｓ２）。なお、ステップＳ２に示したコンテンツの初期表示は、実施されないこととしてもよい。即ち、ステップＳ１の処理に続いてステップＳ３の処理が実施されることとしてもよい。
【００４０】
ステップＳ３において、選択可能要素検出部１１は、ソース取得部１０により取得されたソース情報から、表示されたコンテンツにおいて選択操作可能な要素であるリンク及びコンテンツに含まれるリンク数を検出する（Ｓ３）。選択可能要素検出部１１は、ソース情報から検出及び取得したリンクに関する情報を画面サイズ制御部１３に送出する。
【００４１】
続いて、画面サイズ制御部１３は、ユーザ設定記憶部１２から表示リンク数Ｎを取得し、選択可能要素検出部１１から取得したリンク数が表示リンク数Ｎ以下であるか否かを判定する（Ｓ４）。リンク数が表示リンク数Ｎ以下であると判定された場合には、処理手順はステップＳ５に進められる。ステップＳ５において、コンテンツを表示する際の拡大率の変更が実施されることなく、表示制御部１４は、ソース情報により表されるコンテンツを表示部１５に表示させる（Ｓ５）。
【００４２】
一方、リンク数が表示リンク数Ｎ以下であると判定されなかった場合には、処理手順はステップＳ６に進められる。ステップＳ６において、画面サイズ制御部１３は、選択可能要素検出部１１により検出されたリンクのうち、表示リンク数Ｎのリンクが表示されるように、ソース情報により表されるコンテンツを表示部１５に表示させる際の拡大率を決定する（Ｓ６）。そして、表示制御部１４は、画面サイズ制御部１３により決定された拡大率により拡大したコンテンツを表示部１５に表示させる（Ｓ７）
【００４３】
コンテンツが表示部１５に表示された状態において、画面サイズ制御部１３は、コンテンツにおける表示範囲を移動させるためのスクロール操作を受け付けたか否かを判定する（Ｓ８）。スクロール操作を受け付けた場合には、処理手順はステップＳ６に戻り、再び拡大率の決定処理が実施される。一方、スクロール操作を受け付けなかった場合には、処理手順はステップＳ７に戻り、コンテンツの表示が継続される。
【００４４】
次に、コンピュータを、本実施形態の情報端末１として機能させるための表示制御プログラムについて説明する。図７は、表示制御プログラム１ｍの構成を示す図である。
【００４５】
表示制御プログラム１ｍは、表示制御処理を統括的に制御するメインモジュール１００ｍ、ソース取得モジュール１０ｍ、選択可能要素検出モジュール１１ｍ、ユーザ設定記憶モジュール１２ｍ、画面サイズ制御モジュール１３ｍ、表示制御モジュール１４ｍ及び表示モジュール１５ｍを備えて構成される。そして、各モジュール１０ｍ〜１５ｍにより、情報端末１における各機能部１０〜１５のための各機能が実現される。なお、表示制御プログラム１ｍは、通信回線等の伝送媒体を介して伝送される態様であってもよいし、図７に示されるように、記録媒体１ｄのプログラム格納領域１ｒに記憶される態様であってもよい。
【００４６】
以上説明した本実施形態の情報端末１、表示制御方法及び表示制御プログラムでは、画面サイズ制御部１３により、所定数のリンクが表示されるようにコンテンツを表示する際の拡大率が決定され、その拡大率により拡大されたコンテンツが表示される。これにより、コンテンツに多数のリンクが含まれる場合であっても、表示されるリンクの数は予め設定された所定数に保たれるので、リンクの選択操作が容易となる。従って、リンクの選択操作における誤操作が削減される。
【００４７】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００４８】
１…情報端末、１ｒ…プログラム格納領域、１０…ソース取得部、１１…選択可能要素検出部、１２…ユーザ設定記憶部、１３…画面サイズ制御部、１４…表示制御部、１５…表示部、１ｄ…記録媒体、１ｍ…表示制御プログラム、１０ｍ…ソース取得モジュール、１１ｍ…選択可能要素検出モジュール、１２ｍ…ユーザ設定記憶モジュール、１３ｍ…画面サイズ制御モジュール、１４ｍ…表示制御モジュール、１５ｍ…表示モジュール。
【図１】
0005331149.tif 000002
【図２】
0005331149.tif 000003
【図３】
0005331149.tif 000004
【図４】
0005331149.tif 000005
【図５】
0005331149.tif 000006
【図６】
0005331149.tif 000007
【図７】
0005331149.tif 000008